(57)【要約】【課題】  ジョブ実行装置の使用についての利便性を向上させることができるジョブ実行装置を提供する。【解決手段】  スキャナ部、プリンタ部、ファックス部等を備えた複合機において、ユーザＩＤやこのユーザが属するグループを特定するためのアカウントＩＤ、これらに対応したパスワードを入力させ、これらが予め登録されたユーザＩＤやアカウントＩＤ及びパスワードと一致する場合に複合機の使用を許可する。複合機の機能に関する設定情報は、ユーザＩＤ毎及びアカウントＩＤ毎に設定情報テーブルデータ５０、５２に各々登録される。【選択図】        図４
2006093899.tif 000002
【特許請求の範囲】
【請求項１】
ジョブを実行する実行手段を備えたジョブ実行装置において、
前記ジョブ実行装置の使用者を特定するためのユーザ情報及び前記使用者を含むグループを特定するためのアカウント情報を入力するための入力手段と、
前記使用者毎及び前記グループ毎に前記ジョブ実行装置の機能の設定情報を登録する登録手段と、
を備えたことを特徴とするジョブ実行装置。
【請求項２】
前記実行手段の実行による使用実績を、前記使用者報毎及び前記グループ毎に計数する計数手段と、
前記計数手段の計数結果を前記使用者毎及び前記グループ毎に記憶する使用実績記憶手段と、
をさらに備えたことを特徴とする請求項１記載のジョブ実行装置。
【請求項３】
前記設定情報の登録を予め定めた管理者に限定する限定手段をさらに備えたことを特徴とする請求項１又は請求項２記載のジョブ実行装置。
【請求項４】
前記設定情報の登録を前記使用者に許可するか否かを選択する選択手段をさらに備えたことを特徴とする請求項１乃至請求項３の何れか１項に記載のジョブ実行装置。
【請求項５】
前記使用者毎の設定情報及び前記グループ毎の設定情報のうち、何れの設定情報を優先して有効にするかを設定する優先設定手段をさらに備えたことを特徴とする請求項１乃至請求項４の何れか１項に記載のジョブ実行装置。
【請求項６】
前記優先設定手段は、前記何れの設定情報を優先して有効にするかを前記使用者毎に設定することを特徴とする請求項５記載のジョブ実行装置。
【請求項７】
前記ジョブは、画像形成に関するジョブであることを特徴とする請求項１乃至請求項６の何れか１項に記載のジョブ実行装置。
【発明の詳細な説明】
【技術分野】
【０００１】
本発明は、ジョブ実行装置に係り、特に、ユーザを特定するための情報を入力させ、装置の利用を管理するジョブ実行装置に関する。
【背景技術】
【０００２】
従来より、画像形成装置の使用に際し無駄なプリントやコピーを防いで経済性を高める等の理由により、画像形成装置におけるプリント枚数やコピー枚数等の使用実績をユーザ別に管理集計するシステムが提案されている。
【０００３】
例えば特許文献１には、ネットワークを介して複数のコンピュータが接続されたプリンタにおいて、ユーザ毎にプリント枚数等の使用実績を記憶管理する技術が開示されている。
【０００４】
また、特許文献２には、ユーザＩＤコード毎にコピー枚数をカウントして記憶管理する技術が開示されている。
【０００５】
ところで、企業では組織単位での予算管理だけではなく、各種プロジェクトがある場合には、そのプロジェクト、すなわちグループ毎に予算を管理する必要がある。このような場合には、一人が同時に複数のグループに所属する場合があるため、それぞれのグループにアカウントＩＤを付与し、グループ毎に使用実績を管理することが行われる場合がある。
【特許文献１】特許第２７８７３２１号公報
【特許文献２】特許第３３０１８５６号公報
【発明の開示】
【発明が解決しようとする課題】
【０００６】
しかしながら、従来では、ユーザ毎又はグループ毎に画像形成装置の各種設定をすることができなかったため、利便性がよいとは言えなかった。
【０００７】
本発明は、上記問題を解決すべく成されたものであり、画像形成装置等のジョブ実行装置の使用についての利便性を向上させることができるジョブ実行装置を提供することを目的とする。
【課題を解決するための手段】
【０００８】
上記目的を達成するために請求項１記載の発明は、ジョブを実行する実行手段を備えたジョブ実行装置において、前記ジョブ実行装置の使用者を特定するためのユーザ情報及び前記使用者を含むグループを特定するためのアカウント情報を入力するための入力手段と、前記使用者毎及び前記グループ毎に前記ジョブ実行装置の機能の設定情報を登録する登録手段と、を備えたことを特徴とする。
【０００９】
ジョブ実行装置は、ジョブを実行する実行手段を備えている。このジョブは、例えば請求項７に記載したように、画像形成に関するジョブとすることができるが、これに限られない。画像形成に関するジョブとしては、例えばスキャン機能、プリント機能、コピー機能、ファックス機能等に関するジョブがある。
【００１０】
入力手段は、このようなジョブ実行装置の使用者を特定するためのユーザ情報のみならず、使用者を含むグループを特定するためのアカウント情報を入力するための手段である。ここで、ユーザ情報は、少なくとも使用者を識別するための識別符号を含み、さらにパスワードを含んでもよい。また、アカウント情報も同様に、少なくとも使用者を含むグループを識別するための識別符号を含み、さらにパスワードを含んでもよい。また、ここでのグループとは、例えば使用者が属する部署やプロジェクト等の単位をいう。
【００１１】
登録手段は、使用者毎及びグループ毎にジョブ実行装置の機能の設定情報を登録する。ここで、例えばジョブ実行装置が画像形成に関するジョブを実行する装置である場合には、ジョブ実行装置の機能には前述したスキャン機能等があり、設定情報には、例えば機能がコピー機能であればカラーコピーか白黒コピーかを指定するための情報や、コピー用紙の種類の情報等が含まれる。
【００１２】
このように、使用者毎だけでなく、グループ毎にジョブ実行装置の機能の設定情報を登録することができるので、ジョブ実行装置の使用についての利便性を大幅に向上させることができる。
【００１３】
また、請求項２に記載したように、前記実行手段の実行による使用実績を、前記使用者報毎及び前記グループ毎に計数する計数手段と、前記計数手段の計数結果を前記使用者毎及び前記グループ毎に記憶する使用実績記憶手段と、をさらに備えた構成としてもよい。
【００１４】
これにより、使用者毎の使用実績だけでなくグループ毎の使用実績を把握するのが容易となり、さらに利便性を向上させることができる。
【００１５】
また、請求項３に記載したように、前記設定情報の登録を予め定めた管理者に限定する限定手段をさらに備えた構成としてもよい。これにより、使用者により安易に設定情報が登録されるのを防ぐことができる。
【００１６】
また、請求項４に記憶したように、前記設定情報の登録を前記使用者に許可するか否かを選択する選択手段をさらに備えた構成としてもよい。これにより、使用者も設定情報の登録を行うことが可能となり、様々な利用形態に柔軟に対応することができる。
【００１７】
ところで、使用者毎及びグループ毎に設定情報を登録できるため、使用者及びこの使用者が属するグループについて異なる設定情報が登録される場合がある。
【００１８】
そこで、請求項５に記載したように、前記使用者毎の設定情報及び前記グループ毎の設定情報のうち、何れの設定情報を優先して有効にするかを設定する優先設定手段をさらに備えた構成としてもよい。これにより、使用者及びこの使用者が属するグループについて異なる設定情報が登録された場合でも適切に処理することが可能となる。
【００１９】
また、請求項６に記載したように、前記優先設定手段は、前記何れの設定情報を優先して有効にするかを前記使用者毎に設定するようにしてもよい。これにより、使用者の要求に応じて何れの設定情報を有効にするかを設定することができ、より利便性を向上させることができる。
【発明の効果】
【００２０】
以上説明したように本発明によれば、ジョブ実行装置の使用についての利便性を向上させることができる、という効果を有する。
【発明を実施するための最良の形態】
【００２１】
以下、図面を参照して本発明の実施形態の一例を詳細に説明する。
【００２２】
図１には、本発明に係るジョブ実行装置としての複合機１０の概略構成をブロック図で示した。図１に示すように、複合機１０は、スキャナ部１２、プリンタ部１４、ファックス部１６、ネットワーク通信部１８、タッチパネル２０、課金部２２、カードリーダ２４、タイマ２６、メモリ２８、及びこれらの各部を統括制御する制御部３０を含んで構成されており、プリント機能、スキャン機能、コピー機能、ファクシミリ機能等の各種機能を備えている。
【００２３】
スキャナ部１２は、図示しないプラテンガラス上に載置された原稿に記録された画像を読み取る機能を有する。ユーザーによってコピー指示された場合には、スキャナ部１２によって原稿に記録された画像が読み取られ、プリンタ部１４へ出力されてプリントされる。
【００２４】
プリンタ部１４は、スキャナ部１２、ファックス部１６、ネットワーク通信部１８等から入力された画像データを用紙等の記録媒体に印刷する機能を有する。プリンタ部１４は、例えば電子写真方式によって入力された画像データを記録媒体に印刷する。この場合、プリンタ部１４は、帯電器、感光体、現像器、転写器、定着器、及び光走査装置等を含んで構成され、帯電器によって帯電された感光体に、光走査装置等によって画像に応じた光ビームを照射して静電潜像を形成し、これを現像器でトナー現像し、転写器によって記録媒体に転写し、定着器によって定着させることにより記録媒体に画像を記録することができる。
【００２５】
ファックス部１６は、ファックス回線に接続され、スキャナ部１２やネットワーク通信部１８等から入力された原稿の画像データをファックス送信すると共に、ファックス回線から入力されたファクシミリ画像の画像データをプリンタ部１４へ出力してプリントさせる。
【００２６】
ネットワーク通信部１８は、図示しないＬＡＮ等のネットワークに接続され、ネットワークに接続されたパーソナルコンピュータ等の端末装置と画像データ等の情報を授受する機能を有する。
【００２７】
タッチパネル２０は、各種機能の実行の選択や各種設定の操作、ユーザＩＤやアカウントＩＤ、パスワード等の入力操作等を行うための操作機能と、各種メニューや設定情報、実行結果等を表示する表示機能と、を有する。
【００２８】
課金部２２は、複合機１０の使用に対して課金する機能を有し、投入された硬貨や紙幣の金額を検出し、実行されたジョブに従って算出された料金を投入金額から減算した金額を返却する。
【００２９】
カードリーダ２４は、例えばユーザＩＤやアカウントＩＤ、これらのＩＤに対応したパスワード、複合機１０を使用するためのが記録された磁気カードやＩＣカード等を読み取る機能を有する。これらのカードはＩＤカードとしての機能を有するが、プリペイドカードとしての機能を有していても良い。すなわち、これらのカードに残額情報が記録されるように構成されていてもよい。これにより、複合機１０の使用料金をこれらのカードで支払うことが可能となる。この場合、カードリーダ２４は課金部２２を兼用することとなる。
【００３０】
タイマ２６は、現在時刻を提供する機能を有し、複合機１０の利用可能な時間が制限されている場合や使用日時等を記憶する際に利用される。
【００３１】
メモリ２８は、詳細は後述するが、ユーザＩＤとユーザパスワードとの対応関係、アカウントＩＤとアカウントパスワードとの対応関係を表す認証テーブルデータ、ユーザＩＤとアカウントＩＤとの対応関係を表すＩＤテーブルデータ、ユーザＩＤと各種設定情報との対応関係、アカウントＩＤと各種設定情報との対応関係を表す設定情報テーブルデータ、ユーザＩＤについての設定情報テーブルデータ及びアカウントＩＤについての設定情報テーブルデータの何れを用いるかについての優先情報を表す優先情報テーブルデータ、ユーザＩＤと使用料金等との対応関係、アカウントＩＤと使用料金等との対応関係を表す使用料金テーブルデータ等の各種テーブルデータ等が記憶される。
【００３２】
ユーザーが複合機１０を使用する際には、ユーザＩＤ及びアカウントＩＤ、これらに対応したパスワードを入力して認証を行い、使用を許可された場合に複合機１０の各機能を使用することができる。従って、使用を許可するユーザＩＤ及びアカウントＩＤ、これらに対応したパスワードは認証テーブルデータとして予めメモリ２８に登録しておく必要があり、これらの登録処理は、例えば一般のユーザーが使用できる状態のユーザーモードではなく、予め定めた管理者が使用できる管理者モードにおいて行うことができる。
【００３３】
この管理者モードにおいて制御部３０で実行される処理ルーチンについて、図２に示すフローチャートを参照して説明する。
【００３４】
この管理者モードには、例えば管理者ＩＤ及びパスワードを予めメモリ２８に登録しておき、例えばタッチパネル２０から入力された管理者ＩＤ及びパスワード、又は、カードリーダ２４にセットされた管理者用カードに記憶された管理者ＩＤ及びパスワードが、メモリ２８に登録されたものと一致した場合に移行することができる。すなわち、図２に示す処理ルーチンは、管理者の認証を行い、管理者モードへの移行が許可された場合に実行される。
【００３５】
まず、ステップ１００では、タッチパネル２０に表示された管理者モードにおけるメニュー画面から管理者が処理を選択したか否かが判断され、処理が選択されていない場合には、処理が選択されるまで待機する。
【００３６】
一方、処理が選択された場合には、ステップ１０２において、登録処理が選択されたか否かを判断し、登録処理が選択された場合には、ステップ１０４へ移行する。登録処理が選択されていない場合には、ステップ１０６へ移行し、その他の処理を実行してステップ１０８へ移行する。
【００３７】
ステップ１０４では登録処理を行う。この処理は本発明の登録手段に相当する。この登録処理には、ユーザＩＤ、アカウントＩＤの登録や、ユーザＩＤ毎、アカウントＩＤ毎の各種設定情報の登録等、各種登録処理が含まれる。
【００３８】
まず、ユーザＩＤ及びアカウントＩＤの登録処理について説明する。ユーザＩＤは、ユーザ個々に割り当てられた識別符号であり、アカウントＩＤは、例えばユーザーが属する部署又はプロジェクト等のグループに各々割り当てられた識別符号である。従って、一つのユーザＩＤに対して複数のアカウントＩＤが関連付けられる場合もあり、逆に一つのアカウントＩＤに対して複数のユーザＩＤが関連付けられる場合もある。すなわち、ユーザＩＤとアカウントＩＤとは、一対一の関係ではなく、多対多の関係にある。
【００３９】
このユーザＩＤ及びアカウントＩＤの登録処理では、ＩＤ等の入力を促す画面がタッチパネル２０に表示される。管理者は、例えばタッチパネル２０からユーザＩＤ及びこれに対応したパスワード、アカウントＩＤ及びこれに対応したパスワードを入力する。入力されたユーザＩＤ及びパスワードは、メモリ２８に記憶された図３（Ａ）に示すようなユーザ認証テーブルデータ４０に登録され、入力されたアカウントＩＤ及びパスワードは、図３（Ｂ）に示すようなアカウント認証テーブルデータ４２に登録される。
【００４０】
また、管理者は、ユーザＩＤに関連付けるアカウントＩＤを入力することができ、入力されたアカウントＩＤは、図３（Ｃ）に示すようなユーザＩＤテーブルデータ４４に登録される。図３（Ｃ）に示す例では、ユーザＩＤ‘Ｕ１’にはアカウントＩＤ‘Ａ１’が関連付けられており、ユーザＩＤ‘Ｕ２’にはアカウントＩＤ‘Ａ２’が関連付けられており、ユーザＩＤ‘Ｕ３’にはアカウントＩＤ‘Ａ１’及び‘Ａ２’が関連付けられている。換言すれば、アカウントＩＤ‘Ａ１’は、ユーザＩＤ‘Ｕ１’及び‘Ｕ３’に関連付けられており、アカウントＩＤ‘Ａ２’は、ユーザＩＤ‘Ｕ２’及び‘Ｕ３’に関連付けられている。このように、ユーザＩＤ及びアカウントＩＤを多対多の関係で登録することができる。
【００４１】
次に、複合機１０の各種機能の設定情報の登録について説明する。この設定情報は、ユーザＩＤ毎、アカウントＩＤ毎に登録することができる。設定情報の登録処理では、ユーザＩＤ又はアカウントＩＤ、設定情報を登録するための画面がタッチパネル２０に表示される。管理者は、画面表示に従ってユーザＩＤ又はアカウントＩＤを選択し、登録したい設定情報の内容を選択する。入力された内容は、メモリ２８に記憶された図４（Ａ）、（Ｂ）に示すような設定情報テーブルデータ５０、５２に登録される。
【００４２】
ここで、設定情報は、複合機１０で提供される各種機能の設定に関する情報であり、例えば以下のようなものがある。
【００４３】
（１）コピー機能やプリント機能を実行する際に、予め定めたＷａｔｅｒ  Ｍａｒｋ（地紋）を出力するか否かの設定に関する情報。
【００４４】
（２）複合機１０の利用可能時間帯の情報。
【００４５】
（３）複合機１０で提供される各種機能の実行に対する料金の情報。
【００４６】
（４）コピー機能やプリント機能を実行した際に用紙が排出される排出トレイの指定の関する情報。
【００４７】
（５）Ｎアップ（１枚の用紙にＮ枚分の原稿を縮小して記録する機能）の指定に関する情報。
【００４８】
なお、上記は一例であり、他の設定情報が含まれていても良い。このような設定情報に従って各種機能が実行されるが、これらの設定情報はユーザＩＤ毎及びアカウントＩＤ毎に別個に登録することができるため、一組のユーザＩＤ及びアカウントＩＤに対して複数の設定情報が登録される場合が生じる。そこで、図４（Ｃ）に示すような優先情報テーブルデータ５４に、ユーザＩＤ毎にどちらの設定情報を優先して用いるかを登録できるようにする。図４（Ｃ）に示す例では、ユーザＩＤ‘Ｕ１’及び‘Ｕ３’は、ユーザＩＤ毎の設定情報テーブルデータ５０を使用するように設定され、ユーザＩＤ‘Ｕ２’は、アカウントＩＤ毎の設定情報テーブルデータ５２を使用するように設定されている。
【００４９】
なお、ユーザ毎ではなく、ユーザＩＤ毎の設定情報を用いるかアカウントＩＤ毎の設定情報を用いるかを予め定めておいてもよいし、何れかを選択できるようにしてもよい。
【００５０】
登録処理が終了した場合には、ステップ１０８で管理者モードを終了するための終了操作が行われたか否かを判断し、終了操作が行われていない場合には、ステップ１００へ戻って上記と同様の処理を繰り返し、終了操作が行われた場合には、本ルーチンを終了する。
【００５１】
次に、一般ユーザーが複合機１０を使用する際のユーザモードにおいて制御部３０で実行される処理ルーチンについて、図５に示すフローチャートを参照して説明する。
【００５２】
まず、ステップ２００では、タッチパネル２０からユーザＩＤが入力されたか否かを判断し、ユーザＩＤが入力されていない場合には、ユーザＩＤが入力されるまで待機し、ユーザＩＤが入力された場合には、ステップ２０２へ移行する。
【００５３】
ステップ２０２では、タッチパネル２０からユーザパスワードが入力されたか否かを判断し、ユーザパスワードが入力されていない場合には、ユーザパスワードが入力されるまで待機し、ユーザパスワードが入力された場合には、ステップ２０４へ移行する。
【００５４】
ステップ２０４では、タッチパネル２０からアカウントＩＤが入力されたか否かを判断し、アカウントＩＤが入力されていない場合には、アカウントＩＤが入力されるまで待機し、アカウントＩＤが入力された場合には、ステップ２０６へ移行する。
【００５５】
ステップ２０６では、タッチパネル２０からアカウントパスワードが入力されたか否かを判断し、アカウントパスワードが入力されていない場合には、アカウントパスワードが入力されるまで待機し、アカウントパスワードが入力された場合には、ステップ２０８へ移行する。
【００５６】
ステップ２０８では、認証処理を行う。すなわち、入力されたユーザＩＤ、ユーザパスワード、アカウントＩＤ、アカウントパスワードと、メモリ２８に記憶されたユーザ認証テーブルデータ４０及びアカウント認証テーブルデータ４２と、を照合する。
【００５７】
そして、ステップ２１０において、入力されたＩＤ及びパスワードが、登録されたＩＤ及びパスワードと全て一致するか否かを判断することにより認証ＯＫとするか否か、すなわち複合機１０の使用を許可するか否かを判断する。
【００５８】
入力されたＩＤ及びパスワードが、登録されたＩＤ及びパスワードと全て一致する場合には、複合機１０の使用が許可されたステップ２１４へ移行し、何れか一つでもＩＤ又はパスワードが一致しない場合には、複合機１０の使用が禁止され、ステップ２１２へ移行して警告処理が行われる。
【００５９】
この警告処理は、具体的には、例えばＩＤ又はパスワードが間違っている旨を表す警告メッセージをタッチパネル２０に表示すること等の処理である。警告処理が終了した後は、ステップ２００へ戻って上記と同様の処理を行う。
【００６０】
ステップ２１４では、タッチパネル２０に表示された各種機能の選択画面から実行すべきジョブ（例えばコピーやファックス送信等）を選択する操作がなされたか否かを判断する。そして、ジョブ選択の操作が行われていない場合には、ステップ２２４へ移行し、ジョブ選択の操作が行われた場合には、ステップ２１６へ移行する。
【００６１】
ステップ２１６では、まず、メモリ２８に記憶された優先情報テーブルデータ５４を参照し、入力されたユーザＩＤに対応する設定情報テーブルデータを選択する。そして、選択した設定情報テーブルデータから、選択されたジョブに関する設定情報を読み出して、該当するジョブ実行部へ出力すると共にジョブの実行を指示する。これにより、ジョブ実行部では、指定された設定情報に従ってジョブが実行される。ここで、ジョブ実行部とはスキャナ部１２、プリンタ部１４、ファックス部１６等であり、例えば選択されたジョブがコピーであれば、ジョブ実行部はスキャナ部１２及びプリンタ部１４である。
【００６２】
次のステップ２１８では、ジョブ実行部から実行結果情報を受信したか否かを判断し、受信していない場合は受信するまで待機する。一方、実行結果情報を受信した場合には、ステップ２２０へ移行する。ここで、実行結果情報とは、例えば実行した機能の種類に関する情報や使用量に関する情報を含む。例えば、ジョブがコピーである場合には、実行した機能の種類に関する情報としてはカラーコピーや白黒コピー等の色の種類や用紙サイズ等の情報が含まれ、使用量に関する情報としてはコピー枚数等の情報が含まれる。
【００６３】
次のステップ２２０では、集計処理を行う。この処理は本発明の計数手段に相当する。具体的には、まず、受信した実行結果情報に基づいて使用料金を計算する。このとき、ユーザＩＤ毎やアカウントＩＤ毎に使用料金（機能毎の単価等）が設定情報テーブルデータに登録されている場合には、その設定情報と実行結果情報とに基づいて使用料金を計算する。例えば、コピーを実行した場合には、実行結果情報に含まれる使用量としてのコピー枚数と、設定情報テーブルデータに登録されたコピー１枚当たりの単価とを乗算することにより使用料金を計算する。なお、何れの設定情報テーブルデータを使用するかは、図４（Ｃ）に示す優先情報テーブルデータ５４に従って決定される。そして、タイマ２６から現在日時を取得し、使用した機能の種類、使用量、使用料金、使用日時を、図６（Ａ）に示すようなユーザＩＤについての使用料金テーブルデータ６０及びアカウントＩＤについての使用料金テーブルデータ６２に登録する。
【００６４】
なお、ユーザＩＤ毎及びアカウントＩＤ毎に使用料金の総額を計算してメモリ２８に記憶しておくようにしてもよい。
【００６５】
次のステップ２２２では、課金処理を行い。具体的には、ステップ２２０で計算した使用料金を課金するべく、使用料金を課金部２２に通知する。これにより、課金部２２において、投入された金額から使用料金を減算した額のお金が返却される。なお、プリペイドカードによる支払いの場合には、カードリーダ２４にセットされたプリペイドカードに記録された残額を、その残額から使用料金を減算した額に書き換えることにより課金する。
【００６６】
ステップ２２４では、ユーザモードを終了するための終了操作が行われたか否かを判断し、終了操作が行われていない場合には、ステップ２１４へ戻って上記と同様の処理を繰り返し、終了操作が行われた場合には、本ルーチンを終了する。
【００６７】
このように、ユーザＩＤ毎及びアカウントＩＤ毎に使用料金を計算して記憶しておくので、ユーザＩＤ毎のみならずアカウントＩＤ毎の使用料金を容易に把握することができ、利便性を向上させることができる。
【００６８】
なお、本実施形態では、複合機の機能としてスキャン機能、コピー機能、プリント機能、ファックス機能等を含む場合について説明したが、これに限らず、他の機能を有する複合機についても本発明を適用可能であることはいうまでもない。
【００６９】
また、本実施形態では、各種テーブルデータを複合機内部のメモリに記憶する場合について説明したが、これに限らず、ネットワークに接続された他の端末装置に記憶させるようにしてもよい。さらに、設定情報の登録等をネットワークに接続された他の端末装置から実行できるように構成してもよい。
【００７０】
また、本実施形態では、画像形成に関するジョブを実行する複合機に本発明を適用した場合について説明したが、画像形成に関するジョブに限らず、他のジョブを実行する装置にも本発明を適用可能であることはいうまでもない。
【図面の簡単な説明】
【００７１】
【図１】複合機の概略構成を示すブロック図である。
【図２】管理者モードにおける処理ルーチンのフローチャートである。
【図３】テーブルデータの一例を示す図である。
【図４】テーブルデータの一例を示す図である。
【図５】管理者モードにおける処理ルーチンのフローチャートである。
【図６】テーブルデータの一例を示す図である。
【符号の説明】
【００７２】
１０      複合機
１２      スキャナ部（実行手段）
１４      プリンタ部（実行手段）
１６      ファックス部（実行手段）
１８      ネットワーク通信部
２０      タッチパネル（入力手段）
２２      課金部
２４      カードリーダ
２６      タイマ
２８      メモリ（使用実績記憶手段）
３０      制御部
４０      ユーザ認証テーブルデータ
４２      アカウント認証テーブルデータ
４４      ユーザＩＤテーブルデータ
５０      設定情報テーブルデータ
５２      設定情報テーブルデータ
５４      優先情報テーブルデータ
６０      使用料金テーブルデータ
６２      使用料金テーブルデータ
【図１】
2006093899.tif 000003
【図２】
2006093899.tif 000004
【図３】
2006093899.tif 000005
【図４】
2006093899.tif 000006
【図５】
2006093899.tif 000007
【図６】
2006093899.tif 000008